(57)【要約】      （修正有）【課題】三つ折型のキーケースにおいて、鍵の吊り下げ部材を台片ごと本体から脱落させる事なく、かつキーケース本体の開閉操作、鍵の束の出し入れ操作及び鍵の使用操作を、すべて本体を掴んでいる片手だけでより容易に滑らかに行える片手用キーケースを提供する。【解決手段】キーケース本体の中央片２の内側に、中央左台片２aと中央右台片２ｂを固着し、この左右の台片の間を跨ぐ事なく、鍵の吊り下げ部材、特に回転式キーホルダー７ａを、中央左台片２aと中央右台片２ｂに固着した事により、キーケースの左右の折返し片の開閉と鍵の束の出し入れ操作を、キーケース本体を掴んだ片手のみで容易により滑らかに行えるようにしている。また車輪側面の溝の一部が塞がった回転式キーホルダー７ａを用い、キーケース本体の外部にも常時鍵を露出させて吊り下げられるようにしている。【選択図】図１
0003148526.tif 000002
【実用新案登録請求の範囲】
【請求項１】
キーケース本体が、中央片と、この中央片の左端に連続する左折返し片及び右端に連続する右折返し片とから成る三つ折型であり、かつ、左折返し片の内側上に固着した左折返し台片と右折返し片、もしくは右折返し片の内側上に固着した右折返し台片と左折返し片に、開閉部材を固着しているキーケース本体において、この中央片の内側上に、中央左台片と中央右台片を左右に並べて固着した事により、中央片が中央左台片と中央右台片との間に沿って、外側に二つに折れ曲がる構造を有し、かつ、この中央左台片と中央右台片の間を跨ぐ事なく、左折返し台片、右折返し台片、中央左台片及び中央右台片の以上四箇所のうちの、いずれか一箇所または二箇所に、鍵の吊り下げ部材を固着している事を特徴とする、片手用キーケース。
【請求項２】
請求項１の片手用キーケースにおいて、鍵の吊り下げ部材として回転式キーホルダーを用い、かつ、これを中央左台片と中央右台片にそれぞれ固着した事を特徴とする、キーケース。
【請求項３】
請求項２のキーケースにおいて、一つまたは二つの回転式キーホルダーが、車輪側面の溝の一部が塞がった回転式キーホルダーであり、かつこの溝が塞がった部分を、中央左台片上の回転式キーホルダーでは上端部寄りの左斜め上の向きに、中央右台片上の回転式キーホルダーでは上端部寄りの右斜め上の向きにして、固着している事を特徴とする、キーケース。
【考案の詳細な説明】
【技術分野】
【０００１】
本考案は、キーケースに関するものである。
【背景技術】
【０００２】
従来のキーケースには、キーケース本体が、中央片と、開閉部材を有する左右の折返し片とから成る、三つ折型の物があった。そして、このキーケース本体の中央片の内側上には、一つの台片が固着し、これに、フックを横一列に取り付けた長方形様の金属製の鍵の吊り下げ部材を固着していた。（例えば、特許文献１参照）
【０００３】
また別の三つ折型のキーケースには、フックを横一列に取り付けた鍵の吊り下げ部材を用い、この鍵の吊り下げ部材を固着した数個の台片を、面ファスナーによってキーケース本体に着脱させるものもあった。（例えば、特許文献２参照）
【特許文献１】実開平０６−０２４５２５号公報（第２頁、図１）
【特許文献２】実開昭５３−０９０５９４号公報（第１頁、図１）
【考案の開示】
【考案が解決しようとする課題】
【０００４】
従来の三つ折型のキーケースには、キーケース本体の中央片の内側上に一つの台片が固着し、これにフックを横一列に取り付けた長方形様の金属製の鍵の吊り下げ部材を固着したものがあった。（例えば、特許文献１参照）
そしてこのキーケースは、その使用者が鍵の束を出し入れする際に、手で左右の折返し片を外側に開放し、また鍵の束を収納する際も、手で左右の折返し片を元通りに閉じていた。
しかしその操作の間は、常にもう片方の手でキーケース本体を掴んで支えておく必要があった。つまりすべての操作を、キーケース本体を掴んでいるほうの手だけで行う事は容易ではなかった。
そしてこの事は、片手が不自由な人や、手荷物を持っていて片手が使えない状態の人が鍵を使用する場合には不便であった。
【０００５】
また、別の三つ折型のキーケースには、フックを横一列に取り付けた鍵の吊り下げ部材を台片に固着し、これを数個用いて、面ファスナーによってキーケース本体の中央片に着脱させる物もあった。（例えば、特許文献２参照）
しかしこのキーケースの場合は、鍵の吊り下げ部材を固着した台片自体はキーケース本体に固着されていないために、吊り下げた鍵自体の重さと面ファスナーの劣化によって、吊り下げた鍵の束が台片ごと本体から脱落したり紛失したりするおそれがあった。
【０００６】
そこで本考案は、上記従来技術の問題点を解決し、鍵の吊り下げ部材を台片ごと本体から脱落させる事なく、なおかつキーケース本体の開閉操作、鍵の束の出し入れ操作及び鍵の使用操作を、すべて本体を掴んでいる片手だけで滑らかに行なう事ができる、片手用キーケースの提供を課題としている。
【課題を解決するための手段】
【０００７】
請求項１の本考案について述べる。  キーケース本体が、中央片と、この中央片の左端に連続する左折返し片及び右端に連続する右折返し片とから成る三つ折型であり、かつ、左折返し片の内側上に固着した左折返し台片と右折返し片、もしくは右折返し片の内側上に固着した右折返し台片と左折返し片に、開閉部材を固着しているキーケース本体において、この中央片の内側上に、中央左台片と中央右台片を左右に並べて固着し、中央片が中央左台片と中央右台片との間に沿って、外側に二つに折れ曲がる構造を形成し、かつ、この中央左台片と中央右台片の間を跨ぐ事なく、左折返し台片、右折返し台片、中央左台片及び中央右台片の以上四箇所のうちの、いずれか一箇所または二箇所に、鍵の吊り下げ部材を固着して、片手用キーケースを製作する。
【０００８】
次に請求項２の本考案について述べる。本考案では、請求項１の片手用キーケースにおいて、中央左台片と中央右台片にそれぞれ、鍵の吊り下げ部材として回転式キーホルダーを固着し、鍵の出し入れ操作をより滑らかに行える、キーケースを形成する。
【０００９】
さらに請求項３の本考案について述べる。本考案では、請求項２のキーケースにおいて、回転式キーホルダーのうちの一つまたは二つが、車輪側面の溝の一部が塞がった回転式キーホルダーであり、かつこの溝が塞がった部分が、中央左台片上の回転式キーホルダーでは上端部寄りの左斜め上の向きに、中央右台片上の回転式キーホルダーでは上端部寄りの右斜め上の向きにくるようにして、それぞれ固着する。これにより、キーケース内部へ収納する鍵の収納時の操作を妨げることなく、キーケース本体の外部にも常時鍵を露出させて吊り下げる事ができるキーケースを形成する。
【考案の効果】
【００１０】
本考案によれば、キーケース本体の中央片の内側上に、中央左台片と中央右台片を左右に並べて固着した事により、中央片がこの中央左台片と中央右台片との間に沿って、外側に二つに折れ曲がり易い構造となっている。
そして本考案の新規性には、現在最も一般的に普及している背景技術である特許文献１のキーケースにおける、フックを横一列に取り付けた長方形様の金属製の鍵の吊り下げ部材が大きく関係している。
なぜなら、従来のこの種の三つ折型のキーケースの中央片部分には、硬い金属製の長方形様の鍵の吊り下げ部材が横に広く跨って固着していたため、この部分を二つ折りにするという発想自体が奇抜なものであったからだ。
これは背景技術である特許文献２のキーケースに関しても、充分に当てはまる。このキーケースは使用する台片の数は、数個であると記載され、つまり二つとは限定されておらず、本考案のごとく中央片を外側に二つ折りにする発想自体がそもそも存在していないからである。
さらに本考案の片手用キーケースにおいては、鍵の吊り下げ部材をキーケース本体内部に台片ごと固着したため、この背景技術の特許文献２のキーケースのように、吊り下げた鍵自体の重さと面ファスナーの劣化によって、キーケース本体から台片ごと鍵の束を脱落させて鍵を紛失するという可能性はない。
【００１１】
そして本考案では、鍵の吊り下げ部材を、中央左台片と中央右台片の間を跨ぐ事なく固着している。
これによりキーケースを開ける際は、このキーケース本体を片手で掴んだまま開閉部材を開放後、その人差し指で中央片を外側から軽く押すだけで、中央片を容易に外側に二つに折り曲げて左右の折返し片を開くことができる。この際、同時にキーケース本体の横幅も狭くなり、これはキーケース本体をより掴みやすくするという相乗効果ももたらす。
すなわち、キーケース本体の形状が図５に示す状態から図６に示す状態へと変化するのである。
これらの効果によりさらに、その後のキーケース本体からの鍵の束のとり出し操作、鍵の使用操作、キーケース本体への鍵の束の収納操作及びキーケースを元どおりに閉じる操作もすべて、このキーケース本体を掴んでいる片手のみで行う事ができる。
【考案を実施するための最良の形態】
【００１２】
図面を使って本考案の実施の形態を説明する。
図１、図２、図３及び図４において、キーケース本体１の中央片２の内側上には中央左台片２ａと中央右台片２ｂを、左折返し片３の内側上には左折返し台片３ａを、右折返し片４の内側上には右折返し台片４ａを、それぞれ接着剤と縫い糸５によって固着している。
これらキーケース本体１と各台片の材料としては、天然皮革が最も適しており、次に合成皮革、合成樹脂等が適している。
そしてこのキーケース本体１の左折返し片３には凸型開閉部材６ｂを、右折返し台片４aには凹型開閉部材６ａをそれぞれ固着している。これらの凹凸型開閉部材は、バネホック及びマグネットホック等が最も適している。  
【００１３】
このキーケース本体１においては、中央左台片２ａと中央右台片２ｂのそれぞれに、鍵の吊り下げ部材として金属製の回転式キーホルダー７ａを固着している。
【００１４】
この回転式キーホルダー７ａは、車輪側面の溝の一部が塞がっており、この溝が塞がった部分を、中央左台片２ａ上の回転式キーホルダー７ａでは上端部寄りの左斜め上の向きに、中央右台片２ｂ上の回転式キーホルダー７ａでは上端部寄りの右斜め上の向きにして、それぞれ固着して、このキーケースを完成する。
【００１５】
なお図１、図２、図３及び図４に示した上記のキーケースは、右手で操作する事を想定した右手用の場合である。これは、このキーケースの使用者が鍵を使用するために、片手でキーケース本体１の開閉部材を開ける際、親指以外の４本の指のうち、人差し指と小指で左折返し片３の付け根部分を押さえながら、中指と薬指で右折返し台片４ａの端を押し上げて、開放する操作を行う事を想定しているからである。
もちろん、この右手用を左手に持ち左手の親指で開閉する事も可能ではあるが、これは右手での操作の場合に比べて開けにくい。したがって左手用の場合は、この右手用のキーケースの鏡像体を図７、図８、図９及び図１０に示すごとく製作する。
【実施例１】
【００１６】
図１、図２、図３、図４及び図２４に示した実施例について述べる。
キーケース本体１の中央片２の内側上には中央左台片２ａと中央右台片２ｂを、左折返し片３の内側上には左折返し台片３ａを、右折返し片４の内側上には右折返し台片４ａを、それぞれ接着剤と縫い糸５によって固着している。
これらのキーケース本体１と各台片の材料としては、天然皮革が最も適しているが、合成皮革及び合成樹脂を用いてもよい。あるいは、これらの材料を外材として使い、その内部や内側を厚紙や合成繊維や合成樹脂等の芯材で補強して用いてもよい。
また中央左台片２ａと中央右台片２ｂに関しては、天然皮革、合成皮革及び合成樹脂を外材として用い、この外材と同形で一回り小さい金属の板を、回転式キーホルダー７aを打ち込むための穴をあけたうえで、外材の裏または外材の内部に挟み込んで接着剤で接着するなどして、補強してもよい。
そしてこのキーケース本体１の左折返し片３には凸型開閉部材６ｂを、右折返し台片４aには凹型開閉部材６ａをそれぞれ固着している。
本実施例の凹凸型開閉部材としては、バネホックやマグネットホック等を用いて、これらを打ち込んでかしめたり、取り付けたりして固着するのが最も適しているが、コバホックなどを用いてもよい。
なお、凸型と凹型の開閉部材はお互い逆の位置の組み合わせで固着することも可能である。すなわち左折返し片３には凹型開閉部材６ａを、右折返し台片４aには凸型開閉部材６ｂをそれぞれ固着する事もできる。
ただしこの場合は、キーケースの使用者が鍵の束の出し入れ操作をする際に、凸型開閉部材６ｂが鍵の束に引っ掛かり易くなるので、それを防ぐためには、前出の組み合わせの方がより好ましい。
【００１７】
なお開閉部材に関しては、凹凸型開閉部材を用いる代わりに、図２４のごとく面ファスナー１１を縫い付けて、これを開閉部材とする事も可能である。
【００１８】
そしてこのキーケース本体１において、中央左台片２ａと中央右台片２ｂには、それぞれ鍵の吊り下げ部材として金属製の回転式キーホルダー７ａを打ち込んでかしめて固着している。すなわち請求項３で示したごとく、車輪側面の溝の一部が塞がった回転式キーホルダー７ａを用い、かつこの溝が塞がった部分を、中央左台片２ａ上の回転式キーホルダー７ａでは上端部寄りの左斜め上の向きに、中央右台片２ｂ上の回転式キーホルダー７ａでは上端部寄りの右斜め上の向きにして、それぞれの台片に固着して、キーケースを完成している。
【００１９】
なお、この回転式キーホルダー７ａは、より確実に固定するために、図２６及び図２７に示すごとく背面にピン８を有する物や、あるいは図２８及び図２９に示すごとく背面にクリップ９を有する物を用いて固着してもよい。
【００２０】
またこの回転式キーホルダー７ａは、回転式キーホルダー７ｂの車輪側面の溝の一部をはんだづけするなどして塞いだ物を代用してもよい。
【００２１】
この鍵の吊り下げ部材を、中央左台片２ａと中央右台片２ｂに固着した事には次の様な効果がある。
それは例えば、図２２に示した実施例１０及び図２３に示した実施例１１と比べても、よりバランスがとれ、より安定したキーケースを形成できる。図２２及び図２３の様に、中央片の内側上の左右の台片以外の場所、すなわち左右の折返し台片の場所に鍵の吊り下げ部材を固着する事も可能ではあるが、この場合強度不足のため、そこに吊り下げた鍵の束の重みによってバランスがくずれて、キーケース本体が変形しやすくなり、操作性の点でも劣る。
【００２２】
また本実施例においては、次の効果もある。すなわち、請求項３で示したごとく回転式キーホルダー７ａを中央左台片２ａと中央右台片２ｂに固着しているために、鍵の束の出し入れの際、内部の回転式キーホルダー７ａの中心付近の位置を、二つ折りにしたキーケース本体１の左右の折返し片の外側から掴んでおけば、そのままキーケース本体１を前後方向に傾ける事により、それら内部の鍵の束の通りを妨げることなく、より滑らかに鍵の束の出し入れ操作を行う事ができる。これは、請求項２の実施例である図１９に示した実施例７の場合も同様である。
そしてこの事は、例えば図２０に示した請求項１のみの実施であるところの、実施例８のキーケースで操作する場合と比較しても、鍵の束を出し入れする際の、鍵同士のばらつきや、キーケース本体を掴んでいる指による外側からの圧迫がもたらす、鍵の束の通りづらさを、より軽減する効果がある。
【００２３】
また特許文献１のフックを横一列に取り付けた長方形様の金属製の鍵の吊り下げ部材や特許文献２のフックを横一列に取り付けた鍵の吊り下げ部材を用いるこれら背景技術のキーケース、及び図２０に示した請求項１のみの実施であるところの実施例８のキーケースの場合、キーケースを逆さにして振ると、鍵をつけていないフックや鍵の束がキーケースの上部から露出してしまう可能性がある。
これに対して本実施例においては、請求項３で示したごとく回転式キーホルダー７ａを中央左台片２ａと中央右台片２ｂに固着しているために、次のような効果が生じる。
それは本考案においては、二つの回転式キーホルダー７ａをお互い隣りあわせの位置に固着しているために、キーケース本体１を閉じた状態では、二つの間が非常に狭くなり、この内部の二つの回転式キーホルダー７ａの円形部分が、お互い相手のフックの自由な回転を阻止する効果を発揮し、鍵をつけていないフックや鍵の束が、キーケース本体１の上部から露出してしまう事を防いでいる。これはキーケースの携帯時の、激しい動きなどにも対処できて便利である。これは、請求項２の実施例である図１９に示した実施例７の場合も同様である。
【００２４】
このキーケースには次のような使用方法もある。それは、左右二つの回転式キーホルダー７ａのフックを、それぞれ垂直に垂らした状態から外向きに回転させて、図２５に示すごとく外部斜め上方向に移動させた後、これに鍵を取り付けて左右の折り返し片を閉じる事によって、キーケース本体１の外部上方向にも常時、鍵を露出させたまま吊り下げておく方法である。そしてこの回転式キーホルダー７ａは、キーケース内部に収納している鍵の束を鍵の使用後に収納する際に、たとえキーケース本体１を前後方向に傾けて激しく動かしても、その車輪側面の溝が塞がった部分がストッパーとなり、常時外部に吊り下げた鍵は図６に示したごとき形状のキーケース本体１の平面上を、旋回しながら通るだけで、それら外部に吊り下げた鍵が一緒に滑り込んでキーケース内部に混入する事がない。
そして、このキーケース本体１の外部上方向に常時、鍵を露出させたまま吊り下げておく事には、片手が不自由な人や、手荷物を持っていて片手が使えない状態の人にとって、次の様な効果がある。
それは例えば、外出時に自宅の鍵を使用しキーケースを閉じた後、引き続き自家用車の鍵を使用する際や、逆に車で帰宅時に車の鍵を使用し引き続き自宅の鍵を使用するという場合に便利である。
なぜなら、この位置に鍵を吊り下げておけば、最初にキーケースを使用した後に、キーケース本体１を掴んでいる位置を、そのまま少しずらすだけで、引き続き次の鍵の使用の準備ができるからである。これはキーケースの下端部に鍵を吊り下げる場合に比べてもより便利である。
特にリモコン付きの車の鍵のような、大きすぎてキーケース内部への収納が困難な鍵なども、キーケース本体１と繋いで一所に携帯しておく事ができて便利である。
【００２５】
なお、このキーケースの大きさは、その持ち易さと操作のし易さを考慮して、キーケース本体１を閉じた状態で、縦１１ｃｍ前後、横幅５ｃｍ前後、厚さ１８ｍｍ前後である。
また、この場合の各部品の大きさはおおよそ次のとおりである。すなわちキーケース本体１は縦１１ｃｍ横幅１４ｃｍであり、中央左台片２ａ、中央右台片２ｂ及び左折返し台片３ａは共にそれぞれ縦１１ｃｍ横幅２ｃｍであり、右折返し台片４ａは縦１１ｃｍ横幅４ｃｍである。
そしてこれらの各部品の厚さはおおよそ１ｍｍから２ｍｍ程度である。
なお、本考案に使用する回転式キーホルダー７ａの一個あたりのフックの数は、１から４が適しているが、キーケース本体１のサイズを大きく作れば、フックの数は５つ以上でも可能である。
【００２６】
本考案の片手用キーケースにおいては、左折返し片３及び右折返し片４の形状を決定する際は、閉じた際に、より内側になる方の折返し片の横幅をあまり広くしすぎると、キーケース本体１を二つ折りにして開く際に、内側の折返し片が、外側から覆う方の折り返し片に遮られて開きにくくなる場合がある。
さらに詳しく説明すれば、この左右の折返し片の形状は、開閉部材の開放のし易さ、左右の折返し片の開き易さ、鍵の束の出し入れのし易さ、左右の折返し片の閉じ易さ、開閉部材の閉じ易さ及び二つ折りにして掴む際の掴み易さに影響するものであり、右手用のキーケースを例とした本実施例の場合は、左折返し片３を右折り返し片４の約半分の横幅にする事により、左右の折返し片の開き易さ、鍵の束の出し入れのし易さ及び二つ折りにして掴む際の掴み易さを実現し、かつ、右手で掴んだ際に、右折返し片４の先端部が親指以外の四本の指に届きやすく、開閉部材の開閉のし易さも実現している。
【実施例２】
【００２７】
図１１に示す本実施例は、実施例１において、回転式キーホルダー７ａを中央左台片２ａのみに固着し、中央右台片２ｂには車輪側面の溝が全部空いた回転式キーホルダー７ｂを固着して製作した場合である。そしてこれは右手用のキーケースの場合であり、左手用の場合は回転式キーホルダー７ａを中央右台片２ｂのみに固着し、中央左台片２ａには回転式キーホルダー７ｂを固着して、右手用のキーケースの鏡像体を製作する。
【実施例３】
【００２８】
図１２に示す本実施例は、実施例１のキーケース本体１の、右折返し片４及び右折り返し台片４ａの端の形状のみを変更して、端が丸みを帯びた形状にして製作した場合である。
【実施例４】
【００２９】
図１３及び図１４に示す本実施例は、実施例１のキーケース本体１における、左折返し片３と右折返し片４の折り重ね方を、逆にした場合の実施例である。
すなわち左折返し台片３ａに凹型開閉部材６ａを、右折返し片４に凸型開閉部材６ｂを固着した実施例である。
【実施例５】
【００３０】
図１５、図１６及び図１７に示す本実施例は、実施例１のキーケース本体１における、左折返し片３と右折返し片４の形状を左右対称に、また、左折返し台片３ａと右折返し台片４ａの形状も左右対称に、かつ共に端が丸みを帯びている形状にして製作した場合の実施例である。また本実施例においては、開閉部材がキーケース本体の中央に位置している。
【実施例６】
【００３１】
図１８に示す本実施例は、実施例１のキーケース本体１における、中央左台片２ａと中央右台片２ｂの材料として、金属製の板を露出させて用いた場合である。この金属製の板は、回転式キーホルダー７ａを打ち込んでかしめて固着するための穴と、この金属の板自体を中央片２へ固着するための穴を有し、直接キーケース本体１の中央片２に打ち込んでかしめて固着するか、あるいはこの金属製の板の裏側に天然皮革、合成皮革または合成樹脂などを補強材として接着剤で接着したものを中央左台片２ａ及び中央右台片２ｂとして、中央片２に打ち込んでかしめて固着する。
【実施例７】
【００３２】
図１９に示す本実施例は、実施例１のキーケース本体１において、車輪側面の溝がすべて空いている回転式キーホルダー７ｂを用いた場合の実施例である。中央左台片２ａと中央右台片２ｂのそれぞれに、鍵の吊り下げ部材として回転式キーホルダー７ｂを打ち込んでかしめて固着した実施例であり、すなわち請求項２のキーケースである。
【実施例８】
【００３３】
図２０に示す本実施例においては、中央左台片２ａと中央右台片２ｂのそれぞれに、鍵の吊り下げ部材としてフックを横一列に取り付けた金属製の四角形の鍵の吊り下げ部材１０を打ち込んでかしめて固着している。
なおこの場合の実施例は、請求項１のみに基づく実施であり、以下に続く三つの実施例もすべて、請求項１にのみ基づいている。
【実施例９】
【００３４】
図２１に示す本実施例においては、中央左台片２ａに回転式キーホルダー７ｂを、中央右台片２ｂにフックを横一列に取り付けた金属製の四角形の鍵の吊り下げ部材１０を、それぞれ打ち込んでかしめて固着している。
【実施例１０】
【００３５】
図２２に示す本実施例においては、左折返し台片３ａと中央右台片２ｂに回転式キーホルダー７ｂを打ち込んでかしめて固着している。
【実施例１１】
【００３６】
図２３に示す本実施例においては、左折返し台片３ａのみに回転式キーホルダー７ｂを打ち込んでかしめて固着している。
【図面の簡単な説明】
【００３７】
【図１】本考案のキーケースの開いた状態を示す正面図である。
【図２】本考案のキーケースの開いた状態を示す背面図である。
【図３】本考案のキーケースの開いた状態を示す平面図である。
【図４】本考案のキーケースの閉じた状態を示す正面図である。
【図５】本考案のキーケースの閉じた状態を示す平面図である。
【図６】本考案のキーケースの中央片を二つ折りにした状態を示す平面図である。
【図７】本考案の左手用のキーケースの、開いた状態を示す正面図である。
【図８】本考案の左手用のキーケースの、開いた状態を示す背面図である。
【図９】本考案の左手用のキーケースの、開いた状態を示す平面図である。
【図１０】本考案の左手用のキーケースの、閉じた状態を示す正面図である。
【図１１】本考案の実施例２のキーケースの、開いた状態を示す正面図である。
【図１２】本考案の実施例３のキーケースの、開いた状態を示す正面図である。
【図１３】本考案の実施例４のキーケースの、開いた状態を示す正面図である。
【図１４】本考案の実施例４のキーケースの、閉じた状態を示す正面図である。
【図１５】本考案の実施例５のキーケースの、開いた状態を示す正面図である。
【図１６】本考案の実施例５のキーケースの、閉じた状態を示す正面図である。
【図１７】本考案の実施例５のキーケースの、閉じた状態を示す平面図である。
【図１８】本考案の実施例６のキーケースの、開いた状態を示す正面図である。
【図１９】本考案の実施例７のキーケースの、開いた状態を示す正面図である
【図２０】本考案の実施例８のキーケースの、開いた状態を示す正面図である。
【図２１】本考案の実施例９のキーケースの、開いた状態を示す正面図である。
【図２２】本考案の実施例１０のキーケースの、開いた状態を示す正面図である。
【図２３】本考案の実施例１１のキーケースの、開いた状態を示す正面図である。
【図２４】本考案の実施例１のキーケースの、左折返し片のみ閉じた正面図である。
【図２５】回転式キーホルダー７ａのフックの状態を示す正面図である。
【図２６】ピン付きの回転式キーホルダー７ａの平面図である。
【図２７】ピン付きの回転式キーホルダー７ａの背面図である。
【図２８】クリップ付きの回転式キーホルダー７ａの平面図である。
【図２９】クリップ付きの回転式キーホルダー７ａの背面図である。
【符号の説明】
【００３８】
１    キーケース本体
２    中央片
２ａ  中央左台片
２ｂ  中央右台片
３    左折返し片
３ａ  左折返し台片
４    右折返し片
４ａ  右折返し台片
５    縫い糸
６ａ  凹型開閉部材
６ｂ  凸型開閉部材
７ａ  回転式キーホルダー 
７ｂ  回転式キーホルダー
８    ピン
９    クリップ
１０    四角形の鍵の吊り下げ部材
１１    面ファスナー
【図１】
0003148526.tif 000003
【図２】
0003148526.tif 000004
【図３】
0003148526.tif 000005
【図４】
0003148526.tif 000006
【図５】
0003148526.tif 000007
【図６】
0003148526.tif 000008
【図７】
0003148526.tif 000009
【図８】
0003148526.tif 000010
【図９】
0003148526.tif 000011
【図１０】
0003148526.tif 000012
【図１１】
0003148526.tif 000013
【図１２】
0003148526.tif 000014
【図１３】
0003148526.tif 000015
【図１４】
0003148526.tif 000016
【図１５】
0003148526.tif 000017
【図１６】
0003148526.tif 000018
【図１７】
0003148526.tif 000019
【図１８】
0003148526.tif 000020
【図１９】
0003148526.tif 000021
【図２０】
0003148526.tif 000022
【図２１】
0003148526.tif 000023
【図２２】
0003148526.tif 000024
【図２３】
0003148526.tif 000025
【図２４】
0003148526.tif 000026
【図２５】
0003148526.tif 000027
【図２６】
0003148526.tif 000028
【図２７】
0003148526.tif 000029
【図２８】
0003148526.tif 000030
【図２９】
0003148526.tif 000031